(57)【特許請求の範囲】
【請求項１】
スプリンクラー設備配管に設置される本体と、
該本体の内部に開閉自在に設置される弁体と、
該弁体の開放により閉弁時の状態から変位するロッドと、
該ロッドの一端側に設置されるリミットスイッチとを備えており、
該ロッドの変位によってリミットスイッチが作動して信号が出力される流水検知装置において、
前記本体の外部に、ロッドの変位を阻止可能な係止片が設置されており、
該係止片の移動により、弁体が開放してもロッドが閉弁時の状態であるロック状態と、弁体の開放によりロッドの変位を許容するロック解除状態とを切換え可能としたことを特徴とする流水検知装置。
【請求項２】
スプリンクラー設備配管に設置される本体と、
該本体の内部に開閉自在に設置される弁体と、
該弁体の開放により変位するロッドと、
該ロッドの一端側に設置されるリミットスイッチと、
該ロッドの変位により作動するリミットスイッチ押圧片とを備えており、
該ロッドの変位によって作動するリミットスイッチ押圧片によりリミットスイッチが作動して信号が出力される流水検知装置において、
前記本体の外部に、ロッドの変位を阻止可能な係止片が設置されており、
該係止片の移動により、ロッドの変位を阻止するロック状態と、ロッドの変位を許容するロック解除状態とを切換え可能としたことを特徴とする流水検知装置。
【請求項３】
スプリンクラー設備配管に設置される本体と、
該本体の内部に開閉自在に設置される弁体と、
該弁体の開放により変位するロッドと、
該ロッドの一端側に設置されるリミットスイッチとを備えており、
該ロッドの変位によってリミットスイッチが作動して信号が出力される流水検知装置において、
前記本体の外部に、ロッドの変位を阻止可能な係止片が設置されており、
該係止片の移動により、ロッドの変位を阻止するロック状態と、ロッドの変位を許容するロック解除状態とを切換え可能であり、
前記係止片は、前記リミットスイッチが設置されている本体の外部のベース上に設置され、一端がロッドの変位を阻止する係合部であり、他端は係止片の移動を操作する操作部であることを特徴とする流水検知装置。
【請求項４】
スプリンクラー設備配管に設置される本体と、
該本体の内部に開閉自在に設置される弁体と、
該弁体の開放により変位するロッドと、
該ロッドの一端側に設置されるリミットスイッチとを備えており、
該ロッドの変位によってリミットスイッチが作動して信号が出力される流水検知装置において、
前記本体の外部に、ロッドの変位を阻止可能な係止片が設置されており、
該係止片の移動により、ロッドの変位を阻止するロック状態と、ロッドの変位を許容するロック解除状態とを切換え可能であり、
前記係止片は、前記ロック状態において前記リミットスイッチが設置されているベースと接合可能な手段を有することを特徴とする流水検知装置。
【請求項５】
スプリンクラー設備配管に設置される本体と、
該本体の内部に開閉自在に設置される弁体と、
該弁体の開放により変位するロッドと、
該ロッドの一端側に設置されるリミットスイッチとを備えており、
該ロッドの変位によってリミットスイッチが作動して信号が出力される流水検知装置において、
前記本体の外部に、ロッドの変位を阻止可能な係止片が設置されており、
該係止片の移動により、ロッドの変位を阻止するロック状態と、ロッドの変位を許容するロック解除状態とを切換え可能であり、
前記係止片はその一部が、前記ロック状態において、前記リミットスイッチが設置されているベースからはみ出した状態となることを特徴とする流水検知装置。
【請求項６】
スプリンクラー設備配管に設置される本体と、
該本体の内部に開閉自在に設置される弁体と、
該弁体の開放により変位するロッドと、
該ロッドの一端側に設置されるリミットスイッチとを備えており、
該ロッドの変位によってリミットスイッチが作動して信号が出力される流水検知装置において、
前記本体の外部に、ロッドの変位を阻止可能な係止片が設置されており、
該係止片の移動により、ロッドの変位を阻止するロック状態と、ロッドの変位を許容するロック解除状態とを切換え可能であり、
さらに前記係止片を前記リミットスイッチが設置されているベース側に付勢する部材を備えることを特徴とする流水検知装置。
【請求項７】
ロッドは中間部分で軸支されており、弁体が閉止した状態においてロッドの他端側が弁体と接触している請求項１〜請求項６の何れか１項に記載の流水検知装置。
【請求項８】
係止片は、ロック状態を保持可能である請求項１〜請求項７の何れか１項に記載の流水検知装置。
【請求項９】
係止片の回動角度範囲を規制する部材を設置した請求項１〜請求項８の何れか１項に記載の流水検知装置。
【請求項１０】
係止片のスライド移動方向を規制する部材を設置した請求項１〜請求項９の何れか１項に記載の流水検知装置。
【発明の詳細な説明】
【技術分野】
【０００１】
本発明は、消火設備配管上に設置される流水検知装置に関するものである。
【背景技術】
【０００２】
流水検知装置は、スプリンクラー設備や泡消火設備等の消火設備配管上に設置され、配管内の流水を検知して信号を出力する装置である。
【０００３】
流水検知装置の内部は逆止弁構造をしており、弁により内部が一次側室と二次側室に分けられ弁体は常時閉止状態にある。一次側室および二次側室は常時充水されており、一次側室に接続された配管（以下、「一次側配管」とする）は水源と接続され、二次側室に接続された配管（以下、「二次側配管」とする）はスプリンクラーヘッドや泡ヘッド等の散布ヘッドが設置されている。
【０００４】
流水検知装置は二次側配管に設置された散布ヘッドの作動を検知するために設置されており、例えばスプリンクラーヘッドが作動すると、二次側配管内に充水されている水がスプリンクラーヘッドより放出されることで二次側配管内が減圧する。それにより流水検知装置の二次側室内の圧力も減少し、弁体に作用している圧力による力のバランスが崩れて、一次側室側から弁体に作用する力が二次側室側から弁体に作用する力を上回り弁体が開放される。
【０００５】
この弁体の開放を検知してスイッチ装置が作動され信号が出力される。出力された信号は建物の管理室等に設置されている監視装置と接続されており、監視装置からの信号によって管理人等にスプリンクラーヘッドが作動したことを知らせる。
【０００６】
上記に示す逆止弁構造の流水検知装置は、弁体が着座している弁座に外部へ通じる穴が穿設されており、該穴と圧力スイッチが接続され、圧力スイッチが信号を発生するタイプ（例えば、特許文献１参照。）や、弁体の開放による変位を検知して信号を出力するタイプ（例えば、特許文献２、３参照。）がある。
【０００７】
上記の流水検知装置において、非火災時である点検やメンテナンスの際にスイッチが作動して信号が出力されると館内に火災警報が出力されるおそれがあることから、スイッチの作動を防ぐために信号停止手段が設けられている。
【０００８】
例えば特許文献１の流水検知装置においては弁座に穿設された穴と圧力スイッチとの間の通水路に信号停止弁が設置されている。該信号停止弁を閉止すると流水検知装置の弁体が開いた際に弁座に穿設された穴から流入した水が信号停止弁で遮断される。圧力スイッチまで水が到達しないので圧力スイッチが作動することを防止できる。
【０００９】
また特許文献２、３の流水検知装置にはターミナルボックスが備えられてあり、該ターミナルボックス内には、弁体の開放動作によって信号を出力するリミットスイッチと、リミットスイッチを作動させる作用を有するリミットスイッチ押圧手段が設けられている。該リミットスイッチとリミットスイッチ押圧手段の間に、信号出力停止手段であるピースを挿入させてリミットスイッチ押圧手段がリミットスイッチ側へ移動することを阻止している。
【先行技術文献】
【特許文献】
【００１０】
【特許文献１】実公平６−１４７８０号公報
【特許文献２】国際公開第２００９／５７２３６号
【特許文献３】国際公開第２００９／１３０９０３号
【発明の概要】
【発明が解決しようとする課題】
【００１１】
流水検知装置は一般的に建物内の目立たない場所に設置されていることが多い。特にマンション等の共同住宅に設置される場合はガスメーター等が設置されるメーターボックス内に流水検知装置が設置されていることがあり、後者の流水検知装置においては小さなピースをリミットスイッチ近傍の所定位置に差し込む作業が困難な場合がある。
【００１２】
メーターボックス内は薄暗く、さらにターミナルボックス内にリミットスイッチが設置されていることから、電灯を照らしながらターミナルボックスの蓋を外して所定位置にピースを差し込む作業は作業者の負担が大きいものであった。またピースは小さな部品であることから紛失しやすいものであった。
【００１３】
そこで本発明では、上記問題に鑑み、点検やメンテナンスの際にスイッチの作動を防止する信号停止手段を簡易な操作により実現可能であり、さらに紛失のおそれのない流水検知装置を提供することを目的としている。
【課題を解決するための手段】
【００１４】
上記の目的を達成するために本発明が提案する流水検知装置を以下に示す。
【００１５】
すなわち、スプリンクラー設備配管に設置される本体内に開閉自在に設置された弁体を有し、該弁体の開放により変位するロッドの一端側にはリミットスイッチが設置され、ロッドの変位によってリミットスイッチが作動して信号が出力される流水検知装置において、ロッドの変位を阻止可能な係止片を本体外部に設置し、該係止片の移動によりロッドの変位を阻止するロック状態と、変位を許容するロック解除状態とを切換え可能とした。
【００１６】
本発明の流水検知装置によれば、本体外部に設置された係止片を移動させることでロッドの変位を阻止し、ロッドの変位によって作動するリミットスイッチからの信号出力を防止できる。
その際、係止片を移動させることでロッドをロック状態とロック解除状態とに切換え可能であり、係止片の位置によってリミットスイッチの信号出力が阻止された状態かどうかを作業者が判断することができる。
係止片は作業者が手で掴んで操作可能な程度の大きさとし、例えば従来例の信号停止弁のハンドル程度の大きさにすることで、辺りが薄暗くても目視により係止片の位置の判断や操作が可能である。
さらに係止片を本体外部に設置したことで、従来例のように紛失のおそれが無くなった。
【００１７】
前記係止片は、リミットスイッチが設置されているベース上に設置され、一端がロッドの変位を阻止する係合部であり、他端は係止片の移動を操作する操作部を有する。
係止片にロッドの変位を阻止する係合部と、係止片の移動を操作する操作部を設けたことで、作業者が操作部を操作することで容易にロッドの移動を阻止可能なロック状態またはロック解除状態に切換えを行うことができる。
【００１８】
前記係止片において、ロック状態を保持可能とした。
係止片のロック状態を保持可能としたことで、作業者がその場を離れた際に振動や係止片等の自重によって係止片が動き、ロック状態が解除されてしまうことを防止可能である。
【００１９】
係止片は、ロック状態においてベースと接合可能な手段を有する。
これによれば、ロック状態において係止片がベースと接合され、ロック状態を保持できるものである。
【００２０】
ロック状態において、係止片の一部がベースからはみ出した状態となる。
これによれば、作業者は操作部とベースの位置関係によってリミットスイッチから信号が出力できない状態となっていることを容易に判断することができる。
【００２１】
係止片の回動角度範囲を規制する部材およびスライド移動方向を規制する部材を設置した。
これによれば、係止片の移動可能範囲・方向を制限することができ、係止片が他の構成部材と干渉することを防止できる。
【００２２】
係止片をベース側に付勢する部材を設置した。
これによれば、係止片を移動させる際に適度な負荷を与えることで、係止片の自重や、周囲の振動等によって係止片が動いてしまうことを防止できる。また、先の効果によってロック状態時においてはロック状態を保持する作用も有する。
【００２３】
ロッドは中間部分で軸支されており、弁体が閉止した状態においてロッドの他端側が弁体と接触している。
これによれば、ロッドは弁体の開放動作により回動可能な構成であり、係止片の操作によりロッドをロック状態にすることでロッドの回動動作を阻止可能とした。さらにロック状態において弁体が開放した際には、ロッドをロック状態にしたことで弁体やロッド等の構成部品に過度な負荷が加わらないように構成することが可能である。
【００２４】
ロッドは、弁座から本体外部へ通じる穴に接続された圧力スイッチ内に設置され、前記穴から流入してきた水の圧力により変位する
これによれば、ロッドと弁体は非接触構造であり、ロッドを係止片の操作によってロック状態にしても弁体やロッドに過度な負荷が加わらないように構成することが可能である。
【発明の効果】
【００２５】
上記の流水検知装置によれば、リミットスイッチを作動させるロッドの変位を係止片によって阻止可能であり、さらにリミットスイッチの信号出力停止状態（ロック状態）とロック解除状態が係止片とベースの位置関係により簡易に判断できる。またベース上に係止片を設置してロック状態・ロック解除状態の切換えを可能としたことで、薄暗い場所においても容易に操作可能とし、紛失のおそれも無くなった。
【図面の簡単な説明】
【００２６】
【図１】第１実施形態の流水検知装置の断面図
【図２】Ｘ１−Ｘ１断面図
【図３】Ｘ２−Ｘ２断面図
【図４】係止片が設置されたベース構造の説明図（ロック解除状態）
【図５】Ｙ−Ｙ断面図
【図６】係止片の回動軸部分の分解斜視図
【図７】図４のロック状態
【図８】図３の流水検知装置が作動した際の説明図
【図９】第１実施形態の変形例ａ
【図１０】第１実施形態の変形例ｂ
【図１１】第１実施形態の変形例ｃ
【図１２】第２実施形態の流水検知装置の断面図
【図１３】図１２の圧力スイッチの断面図
【図１４】Ｚ１−Ｚ１断面図
【図１５】第２実施形態の変形例の断面図
【図１６】Ｚ２−Ｚ２断面図
【発明を実施するための最良の形態】
【００２７】
第１実施形態（図１〜図８）
以下、この発明の第１実施形態を図１から図８を参照して説明する。
【００２８】
第１実施形態の流水検知装置は、本体１、筐体２、排水弁３から構成される。
【００２９】
本体１は中空形状であり内部は隔壁４によって一次側室Ｉと二次側室ＩＩに分けられている。隔壁４には連通穴５が穿設されており、該連通穴５の二次側室ＩＩ側には環状の弁座６が設置されている。
【００３０】
弁座６の上には弁体７が着座しており、弁体７の周縁の一部には円筒状の軸受け８が形成され、弁棒９が軸受け８を貫通して本体１内に設置されている。弁体７は弁棒９を軸として二次側ＩＩ方向へ回動自在な構成となっており、弁体７が回動すると弁座６から弁体７が離れて一次側室Ｉの流体が環状の弁座６内を通って二次側室ＩＩに通過可能となる。
【００３１】
弁体７の周縁には縁から突出して形成された突出部１０が設けられている。該突出部１０の弁座６側の面には、ロッド１１の端１１Ａが接触しており、ロッド１１は中間で軸支され、ロッド１１は図中において上下に回動動作可能な構成である。
【００３２】
ロッド１１の弁体７と接触している端と反対側の端１１Ｂは、本体１の側面外部に突出しており、筐体２により覆われている。図４から図７に示すように端１１Ｂには、図中上側に突出して設けられたバネ座１２が設置され、バネ座１２の同軸上にはベースＢに設置されたバネ座１３が設けられており、両バネ座１２、１３の間に弾発体としてコイルバネ１４が設けられている。
【００３３】
コイルバネ１４によりロッド１１の端１１Ｂは、常時において図中下方に付勢されている。ロッド１１の中間の軸により端１１Ｂの反対側の端１１Ａは図中上方つまり弁体７が開く方向に付勢されるが、コイルバネ１４が作用する力は弁体７が開放しない程度の弱い力である。
【００３４】
またロッド１１の端１１Ｂにはリミットスイッチ押圧片１５に接触する接触子１６が固定設置されている。接触子１６はその先端にある湾曲形状のバネ部の作用によりリミットスイッチ押圧片１５をリミットスイッチ１７から遠ざける方向に付勢している。
【００３５】
接触子１６の先端のバネ部がリミットスイッチ押圧片１５を付勢する方向には遅延機構１８が設置されている。遅延機構１８はリミットスイッチ押圧片１５の動作を遅くする作用を有するものであり、エアダンパーやオイルダンパーを使用した構造のものが用いられている。遅延機構１８の詳細な説明は省略する。
【００３６】
リミットスイッチ押圧片１５はリミットスイッチ１７の方向に図示しない弾発体によって付勢されており、接触子１６によりリミットスイッチ１７方向への移動を阻止されている。
【００３７】
図４から図７に示す筐体２のベースＢは平板をＬ字状に屈曲させた形状をしており、ロッド１１が貫通して本体１と接続される「第１の面」としての面Ｂ１と、面Ｂ１から屈曲して設けた「第２の面」としての面Ｂ２を有する。面Ｂ１にはリミットスイッチ１７や遅延機構１８を支持するブラケット１９の端部が接続され、面Ｂ２には外部から端子台２９に接続される導線を筐体２の内部に挿入する穴Ｈが穿設されている。
【００３８】
面Ｂ１にはロッド１１の端１１Ｂが下方へ回動する動きを阻止可能な係止片２０が設置される。係止片２０は細長い板状をしており、中間部分に長穴２１が穿設されている。係止片２０の一端側はロッド１１との係合部２２となっており、先端側に向かって先細りとなるテーパー部２２Ａが形成されている。先端２２Ｂは丸みを帯びた曲線状に形成されている。他端側は作業者が手で掴んで係止片２０を動かす操作部２３となっている。
【００３９】
図６に示すように係止片２０の長穴２１の係合部２２側には長穴２１の幅より大きな径を有する穴２１Ａが穿設されている。穴２１Ａの径は後述のホルダー２６の他端側の外周径より僅かに大きい。
【００４０】
ホルダー２６は円筒形状をしており内部の穴には後述のボルト２４の牡ネジ部が挿通可能である。ホルダー２６の一端には鍔部が形成されている。他端２６Ａの外周径は鍔部よりも小径であり、さらに係止片２０の穴２１Ａより僅かに小径である。また他端２６Ａの外周には対向して形成された２つの平面２６Ｂ、２６Ｂを備えている。
【００４１】
ホルダー２６の他端２６Ａには順にウェーブワッシャー２７、ワッシャー２５、係止片２０の穴２１Ａが挿通される。これらの部品が挿通された状態でホルダー２６の２つの平面２６ＢをベースＢより突出して形成された２つの突出部２６Ｃの間に挿入すると、平面２６Ｂが２つの突出部２６Ｃの間に嵌合される。これによりホルダー２６は回転を阻止された状態となる。その後、ボルト２４をホルダー２６の穴に挿通して２つの突出部２６Ｃの間に螺刻された牝ネジＮに螺合する。
【００４２】
ここで係止片２０の長穴２１とホルダー２６に形成された２つの平面２６Ｂについて説明する。２つの平面２６Ｂの間隔は、長穴２１の幅寸法２１Ｂより僅かに小さく形成されている。常時においてホルダー２６の他端２６Ａは係止片２０の穴２１Ａに挿通されており、平面２６Ｂは長穴２１と垂直に位置されるので長穴２１とホルダー２６の他端２６Ａはスライド移動できない。係止片２０を、ホルダー２６を支点として９０°回動させると２つの平面２６Ｂが長穴２１と平行になり、長穴２１とホルダー２６の平面２６Ｂがスライド移動可能となることで係止片２０をロッド１１側にスライド移動可能となる。これにより、係止片２０はホルダー２６の２つの平面２６Ｂと長穴２１とが平行になる位置（係止片２０を元の位置から略９０°回動させた位置）のみでスライド移動可能であり、スライド移動可能な方向が規制されている。
【００４３】
上記のように係止片２０を回動させる際に、ウェーブワッシャー２７によって係止片２０をＢ１面方向に付勢させ適度な負荷を与えることで、係止片２０の自重や周囲の振動等によって係止片２０が動いてしまうことを防止できる。また、これらの効果によってロック状態時においてはロック状態を保持可能である作用も有する。
【００４４】
係止片２０は常時において操作部２３がベースＢ内に納まっている（ロック解除状態）。係止片２０を回動させると、ロッド１１の動きを阻止することができ、操作部２３はベースＢからはみ出した状態となる（ロック状態）。これより作業者は操作部２３とベースＢの位置関係によってリミットスイッチ１７から信号が出力できない状態となっていることを容易に判断することができる。
【００４５】
また作業者がロック状態のままカバーＣをベースＢに装着しようとしても、操作部２３がベースＢよりはみ出した状態となっているのでベースＢにカバーＣを装着することができない。作業者が作業に慣れていない場合でもカバーＣがベースＢに装着できないことで異常を感じ、他の熟練した作業者に報告することでロック状態を解除することができる。
【００４６】
係止片２０はベースＢの縁寄りに設置されている。好ましくは流水検知装置の正面側から操作可能な位置に設ける。具体的には流水検知装置の正面をカバー１Ａによって塞がれた開口１Ｂを設けた面とすると、筐体２は側面に設けられることからベースＢの正面側の縁付近に係止片２０を設置する。
【００４７】
面Ｂ１上には係止片２０を回動させる際の動作をガイドする突起としてストッパー２８Ａ、２８Ｂが形成されている。係止片２０をロック解除状態からロック状態になるように回動させると、係止片２０はストッパー２８Ａに接触して元の位置から略９０°回転した状態となる。突起２８Ａは係止片２０をこれ以上回動させないためのストッパーの作用を有しており、係止片２０は回動可能な角度範囲を規制されている。
【００４８】
係止片２０を長穴２１に沿ってスライド移動させると係合部２２のテーパー部２２Ａがロッド１１の周面に沿って移動する。その際にロッド１１が多少下側に傾いておりテーパー部２２Ａにロッド１１が接触した状態でも引っ掛かりなくスムーズに係止片２０をスライド移動することができる。と共に係止片２０の先端２２Ｂがストッパー２８Ｂの縁の一部が丸みを帯びて形成させたガイド部２８Ｃに接触しながらスライド移動する。
【００４９】
係止片２０のスライド移動により、係合部２２の先端２２Ｂがストッパー２８Ｂ上に誘導され、テーパー部２２Ａと反対側の辺２２Ｃがストッパー２８Ｂと係合する。同時にストッパー２８Ａも係止片２０の一辺と接触した状態となり、ストッパー２８Ａ、２８Ｂと係止片２０との間には殆ど隙間がない状態で保持される。これにより係止片２０によってロッド１１の動作を阻止したロック状態を保持することが可能である。
【００５０】
カバーＣは、ベースＢに設置されたリミットスイッチ１７や遅延機構１８、端子台２９を覆い、ゴミや水滴から保護するものである。このカバーＣを外すとＬ字状のベースＢに支持された筐体２の内部構造が大きく露出するので、筐体２に収容するリミットスイッチ１７や端子台２９等の結線作業や点検作業の作業性が良い。
【００５１】
排水弁３は、点検やメンテナンス時に本体１内の流体を外部に排出するバルブであり、筐体２と反対側の面に設置されている。排水弁３の内部はアングル弁構造となっており、排出口は図１において下向きに設けられている。排水弁３の開閉操作を行なうハンドルは流水検知装置Ａのカバー１Ａが設けられた正面側に設置され、ハンドルの操作が行ないやすい位置に設けられている。
【００５２】
続いて、第１実施形態の流水検知装置の動作について説明する。
【００５３】
第１実施形態の流水検知装置は、消火設備配管に設置され、一次側室Ｉは図示しないポンプおよび水源に通じる配管と接続され、二次側室ＩＩに接続された配管の末端には図示しないスプリンクラーヘッドが設置されている。
【００５４】
消火設備配管内は充水された状態にあり、流水検知装置の本体１の内部も一次側室Ｉおよび二次側室ＩＩは充水状態にある。常時において、弁体７は弁座６の上に着座しており、一次側室Ｉから二次側室ＩＩへの通水は遮断されている。
【００５５】
火災が発生して二次側室ＩＩ側の配管に設置されたスプリンクラーヘッドが作動すると、二次側室ＩＩ側の配管内の水はスプリンクラーヘッドから放出されるので次第に減圧してくる。弁体７を閉止していた二次側室ＩＩの水の圧力が減少し、一次側室Ｉの圧力より低くなると二次側室ＩＩと一次側室Ｉの圧力差により弁体７は押し上げられ、軸９を支点に回動する。
【００５６】
弁体７が弁座６から離れて開放したことにより一次側室Ｉの水は二次側室ＩＩ側に送られる。それとともに弁体７に接触していたロッド１１もコイルスプリング１４の付勢力によって回動し、筐体２側の端１１Ｂが図８のように下側に移動する。
【００５７】
これにより端１１Ｂの接触子１６がリミットスイッチ押圧片１５から離れ、リミットスイッチ押圧片１５はリミットスイッチ１７側へ移動を開始する。遅延機構１８により所定時間経過後にリミットスイッチ押圧片１５はリミットスイッチ１７を作動させる。リミットスイッチ１７は端子台２９を介して管理人室等に設けた図示しない監視装置に接続されており、監視装置にリミットスイッチ１７の作動が出力される。
【００５８】
上記リミットスイッチ１７の作動による信号によって前述のポンプが起動され、水源より作動したスプリンクラーヘッドへ送水が開始してスプリンクラーヘッドからは連続して水が散布され火災を消し止める。
【００５９】
次に、第１実施形態の流水検知装置においてリミットスイッチの作動による信号出力を停止する手順について説明する。
【００６０】
先ず、筐体２からカバーＣを取り外す。係止片２０の操作部２３を持って係止片２０を回動する（図４中では時計回りに回動する）。係止片２０はストッパー２８Ａに当たり停止する。このとき係止片２０は元の状態（ロック解除状態）から略９０度回転した位置にある。次に係止片２０を長穴２１に沿ってスライド移動させる。
このとき、係止片２０の回動角度が前述の９０°よりも少ない角度で回動させた場合には、長穴２１のスライド方向と長穴２１に挿通されたホルダー２６の２つの平面２６Ｂが平行にならないので係止片２０をスライド移動できない。
【００６１】
係止片２０をスライド移動させると、係合部２２の先端２２Ｂはストッパー２８Ｂのガイド部２８Ｃに沿って移動してストッパー２８Ｂ上に誘導され、テーパー部２２Ａと反対側の辺２２Ｃがストッパー２８Ｂと係合する。これによりロック状態となり、弁体が開放動作した場合にも係止片２０によってロッド１１の動きを阻止するのでリミットスイッチ１７から信号が出力されることを防止できる。
【００６２】
上記のロック状態からロック解除状態へ係止片２０を戻す手順は、上記と逆の手順により実現可能である。
【００６３】
第１実施形態  変形例ａ  （図９）
次に第１実施形態の変形例ａについて図９を参照して説明する。
【００６４】
第１実施形態の変形例ａでは、第１実施形態の構成に加えてスライド動作を行う弾発体を設置したものである。
【００６５】
図９に示す係止片２０には弾発体を装着するための突起２０Ａが操作部２３付近に形成されている。突起２０Ａに弾発体として環状のゴム３０を掛け、さらに係止片２０の回動軸３１にもゴム３０を掛ける。
【００６６】
係止片２０を回動させると、ゴム３０の弾発力によって係止片２０は長穴２１に沿ってスライド移動可能である。第１実施形態のように作業者が係止片２０を回動動作させた後にスライド動作を行う必要がなく、回動動作を行うのみでゴム３０の弾発力により係止片２０はスライド移動され、係止部２２の辺２２Ｃがストッパー２８Ｂと係合できる。ゴム３０によってロック状態を維持可能となる。
【００６７】
上記において、弾発体として環状のゴム３０にて説明したが、これを引張バネや錘、磁石に置き換えて構成することも可能である。
【００６８】
第１実施形態  変形例ｂ（図１０）
次に第１実施形態の変形例ｂについて図１０を参照して説明する。
【００６９】
第１実施形態の変形例ｂでは、係合部２２の形状を切り欠き状にしてロッド１１を上下から挟み込んでロッド１１の動作を阻止可能とした構成である。
【００７０】
第１実施形態  変形例ｃ（図１１）
次に第１実施形態の変形例ｃについて図１１を参照して説明する。
【００７１】
第１実施形態の変形例ｃでは、ロック状態とロック解除状態との係止片の動作をスライド動作のみで実現可能な構成としたものである。
【００７２】
図１１に示す係止片４０は、第１実施形態と同様に細長い板状であり、一端側に長穴４１が穿設されている。長穴４１の近傍の縁には係合部４２が形成されており、第１実施形態のテーパー部２２Ａに相当する曲線部４２Ａが設けられている。長穴４１を挟んで曲線部４２Ａと反対側の縁にはストッパー４４と係合する段部４２Ｂが鉤状に形成されている。
【００７３】
係止辺４０の他端側は端部が折り曲げられ操作部４３が形成されている。該操作部４３を作業者が掴んで係止片４０を操作可能である。また操作部４３に「信号停止」等の表示を付すことも可能である。
【００７４】
長穴４１には第１実施形態と同様にボルト２４が挿通されている。長穴４１と操作部４３の間の縁に近接してストッパー４４がベースＢ上に設けられており、係止片４０のスライド動作をガイドしている。
【００７５】
上記実施形態の係止片４０は図１１（ａ）に示すように操作部４３がベースＢに納まっている状態をロック解除状態とし、図１１（ｂ）に示すように操作部４３がベースＢからはみ出している状態をロック状態とする。操作部４３がベースＢからはみ出した状態ではカバーＣをベースＢに取り付けできないことから、カバーＣの取付け時に作業者がロック状態であることに気づいて操作部４３を操作してロック解除状態にすることができる。
【００７６】
上記に説明した第１実施形態およびその変形例において、ロック状態を保持可能な手段の他の実施形態として、係止片２０の操作部２３に錘を取り付け、ロック状態からロック解除状態へ戻す動作の際に負荷を加えることが可能である。
【００７７】
また、係止片にベースと接合可能な手段を用いてロック状態を保持可能な他の実施形態として、ストッパー２８Ｂ（４４）を磁石により構成し、さらに係止片２０（４０）を鉄等の磁石に吸着可能な材質から構成すると、磁力によりロック状態を保持することが可能となる。
【００７８】
第２実施形態（図１２〜図１４）
次に第２実施形態について図１２から図１４を参照して説明する。
【００７９】
第２実施形態において第１実施形態と構成が同じ箇所については同符号を付して詳細な説明は省略する。第２実施形態では、ロッドと弁体が非接触である流水検知装置について説明する。
【００８０】
図１２に示す第２実施形態の流水検知装置について、本体や弁体の構成およびリミットスイッチ付近の構成は第１実施形態の流水検知装置と略同じであるので構成が同じ部分については同符号を付して詳細な説明は省略する。第１実施形態との差異点は、弁体７が着座している弁座６に本体１の外部へ通じる穴５０が穿設されていることである。該穴５０は、内部にリミットスイッチ１７を有する圧力スイッチ５１に接続されている。圧力スイッチ５１は図１３に示すように穴５０を通ってきた水の圧力によりロッドが押し上げられレバー５２が回動動作する構造になっている。レバー５２の回動動作によりリミットスイッチ押圧片１５の係止が解除されてリミットスイッチ１７が作動する構成は第１実施形態と略同じである。
【００８１】
上記のリミットスイッチ１７等の構成品が配置されている圧力スイッチ５１のベース５３は平板状であり、リミットスイッチ１７等の構成品はカバー５１Ａにより覆われていてゴミや埃の付着を防止している。
【００８２】
ベース５３の外側の面５３Ａには穴５０が接続される中空状の接続部５４が設置されている。ベース５３の反対側（内側）の面５３Ｂにはリミットスイッチ１７やレバー５２等が設置される。
【００８３】
中空状の接続部５４の上方（ベース５３方向）には空間５４Ａが形成されており、該空間５４Ａ内を上下に仕切るダイアフラム５５が設置され、穴５０を通って接続部５４内に流入してきた水がベース５３側の空間に漏れないようにしている。ダイアフラム５５にはダイアフラム５５を貫通するロッド５６が設置されており、該ロッド５６はレバー５２と係合しており、ロッド５６の上下動作によりレバー５２が回動動作可能な構成となっている。
【００８４】
リミットスイッチ１７はベース５３の面５３Ｂ側に設置される。リミットスイッチ１７はロッド５６に対して所定の位置に設置されるようにブラケット５７内に位置決めされて設置される。ブラケット５７は平板を屈曲させて形成した箱型の形状をしており、ブラケット５７の各面がリミットスイッチ１７を覆っている。ブラケット５７はベース５３にネジ５８によって所定の位置に固定設置される。ブラケット５７上にはリミットスイッチ１７と接続された端子台５９が設置されている。
【００８５】
常時においてロッド５６は穴５０側（図中下方）に位置しているが、穴５０から水が接続部５４内に流入してくると、水の圧力によってダイアフラム５５が図中上方へ膨らみ、ダイアフラム５５の変形によってロッド５６がレバー５２側へ変位する。ロッド５６の変位によりレバー５２が回動動作して第１実施形態で説明した通りリミットスイッチ１７が作動する。リミットスイッチ１７の作動による信号が建物内の受信盤に伝送され、流水検知装置の作動を管理人等に伝える。
【００８６】
上記の圧力スイッチにおいて、図１４に示すように係止片７０は細長い板状をしており、中間部に穴７１が穿設されている。係止片７０の一端側はロッド５６の移動を阻止可能な係合部７２となっている。他端側は作業者が手で掴んで係止片７０を動かす操作部７３となっている。
【００８７】
係止片７０は、ベース５３上に設けたボルト２４を穴７１に挿通して回動自在に設置される。係止片７０は常時（ロック解除状態）において操作部７３がベース５３内に納まっており、カバー５１Ａをベース５３に装着可能である。また、操作部７３の先端に形成した切り欠き７３Ａがブラケット５７の一面５７Ａの縁に接触しており、ロック解除状態において必要以上に係止片７０が回動することを阻止している。
【００８８】
図１４の点線で示すように係止片７０を回動させると、係合部７２がロッド５６の上部に位置され、ロッド５６の上方への動きを阻止することができる（ロック状態）。その際、操作部７３はベースＢからはみ出た状態となり、カバー５１Ａをベース５３に装着することができない。これより作業者は操作部７３とベース５３の位置関係によってリミットスイッチ１７から信号が出力できない状態となっていることを容易に判断することができる。
【００８９】
係合部７２の先端に突出して形成された突起部７２Ａは、ブラケット５７の面５７Ｂに当接して係止片７０の回動可能な範囲を制限しており、ストッパーとしての作用を有する。
【００９０】
続いて、第２実施形態の流水検知装置の動作について説明する。
【００９１】
消火設備配管内は充水された状態にあり、流水検知装置の本体１の内部も一次側室Ｉおよび二次側室ＩＩは充水状態にある。常時において、弁体７は弁座６の上に着座しており、一次側室Ｉから二次側室ＩＩへの通水は遮断されている。
【００９２】
火災が発生して二次側室ＩＩ側の配管に設置されたスプリンクラーヘッドが作動すると、二次側室ＩＩ側の配管内の水はスプリンクラーヘッドから放出されるので次第に減圧してくる。弁体７を閉止していた二次側室ＩＩの水の圧力が減少したことで一次側室Ｉの水の圧力により弁体７は押し上げられ、軸９を支点に回動する。
【００９３】
弁体７が弁座６から離れて開放したことにより一次側室Ｉの水は二次側室ＩＩ側に送られる。と同時に弁座６に穿設された穴５０にも水が流入して、穴５０と接続された圧力スイッチ５１に水が到達する。水は圧力スイッチ５１の中空状の接続部５４に流入してダイアフラム５５をベース５３側に膨張させる。ダイアフラム５５に設置されたロッド５６はダイアフラム５５の膨張とともに図中上方へ変位してロッド５６の先端に係合されたレバー５２の一端を押し上げる。
【００９４】
レバー５２はロッド５６の変位により回動され、リミットスイッチ押圧片１５を係止していたレバー５２の他端側がリミットスイッチ押圧片１５から離れる。リミットスイッチ押圧片１５はリミットスイッチ１７側へ移動し、遅延機構１８により所定時間経過後にリミットスイッチ押圧片１５はリミットスイッチ１７を作動させる。リミットスイッチ１７は端子台５９を介して管理人室等に設けた監視装置に接続されており、監視装置にリミットスイッチ１７の作動が出力される。
【００９５】
上記リミットスイッチ１７の作動による信号で前述のポンプが起動され、水源より作動したスプリンクラーヘッドへ送水が開始してスプリンクラーヘッドからは連続して水が散布され火災を消し止める。
【００９６】
次に、第２実施形態の流水検知装置においてリミットスイッチからの信号出力を停止する手順について説明する。
【００９７】
先ず、圧力スイッチ５１からカバー５１Ａを取り外す。このとき係止片７０はベース５３内に納まった状態にある（ロック解除状態）。係止片７０の操作部７３を持って係止片７０を回動する。係止片７０の突出部７２Ａはブラケット５７の面５７Ｂに接触して係止片７０の回動が阻止される。この状態で係合部７２がロッド５６の上方に位置され、ロッド５６の移動を阻止可能である（ロック状態）。また、操作部７３はベース５３からはみ出た状態にあり、この状態ではカバー５１Ａをベース５３に装着することはできない。
【００９８】
上記のロック状態からロック解除状態へ係止片７０を戻す手順は、上記と逆の手順により実現可能である。
【００９９】
第２実施形態  変形例ａ（図１５〜図１６）
次に第２実施形態の変形例について図１５から図１６を参照して説明する。
【０１００】
第２実施形態の変形例は、ロック状態とロック解除状態との係止片の動作をスライド動作で実現可能な構成としたものである。
【０１０１】
図１５および図１６に示す係止片８０は細長い板状をしており、中間部に長穴８１が穿設されている。一端側に長穴８１が穿設されている。係止片８０の中間部には係合部８２となっている。他端側は端部が折り曲げられ操作部８３が形成されている。該操作部８３を作業者が掴んで係止片８０を操作可能である。また操作部８３に「信号停止」等の表示を付すことも可能である。
【０１０２】
ベース５３上には段付きの軸８４が立設されており、軸８４は中間部に段８４Ａが形成されており、ベース５３側の外径に対してベース５３と反対側の軸部８４Ｂの外径はベース５３側の外径より小さく形成されている。段８４Ａからベース５３までの高さ寸法は、平時においてベース５３からロッド５６が突出した状態の高さよりも僅かに大きい。
【０１０３】
軸部８４Ｂを長穴８１に挿通させ、軸部８４Ｂにより係止片８０のスライド動作をガイドしている。また、係止片８０は段８４Ａ上に載置される。
【０１０４】
ブラケット５７には係止片８０が通過可能な切り欠き８５が形成されている。切り欠き８５の位置は、前述の段８４Ａの高さ寸法と略同じである。切り欠き８５の幅は、係止片８０の厚さ寸法よりもやや大きく、係止片８０のスライド動作をガイド可能であり、係止片８０の上下方向への動きを阻止することが可能である。
【０１０５】
上記の係止片８０は図１６に示すように長穴８１が穿設された側の端がベース５３に納まっている状態をロック解除状態とし、図１６の点線で示すように長穴８１が穿設された側の端がベース５３からはみ出している状態をロック状態とする。操作部８３がベース５３からはみ出した状態ではカバー５１Ａをベース５３に取り付けできないことから、カバー５１Ａの取付け時に作業者がロック状態であることに気づいて操作部８３を操作してロック解除状態にすることができる。
【０１０６】
上記に説明した第２実施形態およびその変形例において、ロック状態を保持する手段としてブラケット５７の面５７Ｂの係止片７０（８０）が接触する箇所に磁石を設置して構成すると、ロック状態時に磁石と係止片７０（８０）が磁力により吸着されロック状態を保持することが可能となる。
【符号の説明】
【０１０７】
１  本体  
２  筐体  
３  排水弁  
４  隔壁  
５  連通穴  
６  弁座  
７  弁体  
８  軸受け  
９  弁棒  
１０  突出部  
１１、５６  ロッド  
１５  リミットスイッチ押圧片
１６  接触子  
１７  リミットスイッチ  
１８  遅延機構  
１９、５７  ブラケット
２０、４０、７０、８０  係止片
２１、４１、８１  長穴
２２、４２、７２、８２  係合部
２３、４３、７３、８３  操作部
２４  ボルト
２７  ウェーブワッシャー
２８Ａ、２８Ｂ、４４  ストッパー
３０  ゴム
３１  回動軸
５０  穴
５１  圧力スイッチ
５２  レバー
５３、Ｂ  ベース
５５  ダイアフラム
７１  穴
Ａ  流水検知装置
Ｃ  カバー
【図１】
0005437837.tif 000002
【図２】
0005437837.tif 000003
【図３】
0005437837.tif 000004
【図４】
0005437837.tif 000005
【図５】
0005437837.tif 000006
【図６】
0005437837.tif 000007
【図７】
0005437837.tif 000008
【図８】
0005437837.tif 000009
【図９】
0005437837.tif 000010
【図１０】
0005437837.tif 000011
【図１１】
0005437837.tif 000012
【図１２】
0005437837.tif 000013
【図１３】
0005437837.tif 000014
【図１４】
0005437837.tif 000015
【図１５】
0005437837.tif 000016
【図１６】
0005437837.tif 000017